(57)【要約】【課題】無駄な電力消費を抑制して、低消費電力化を図ることができるようにする。【解決手段】ユーザネットワークＩ／Ｆ部１５が低消費電力状態に設定されていない状況下では、トラヒック量が閾値以下であり、かつ、データの種類が高優先度のトラヒックでなければ、ユーザネットワークＩ／Ｆ部１５を低消費電力状態に設定し、ユーザネットワークＩ／Ｆ部１５が低消費電力状態に設定されている状況下では、トラヒック量が閾値以上であり、かつ、データの種類が高優先度のトラヒックでなければ、ユーザネットワークＩ／Ｆ部１５の低消費電力状態を解除する。【選択図】図１
2011061428.tif 000002
【特許請求の範囲】
【請求項１】
複数の下位ネットワーク側装置を収容しているネットワーク接続機器から送信された上り方向のデータを受信して、上記データを局側装置に送信する一方、上記局側装置から送信された下り方向のデータを受信して、上記データを上記ネットワーク接続機器に送信する加入者線終端装置において、上記ネットワーク接続機器から送信された上り方向のデータを受信する一方、上記局側装置から送信された下り方向のデータを上記ネットワーク接続機器に送信するデータ送受信手段と、上記データ送受信手段により送受信されるデータのトラヒック量が予め設定された閾値以上であるか否かを監視するとともに、上記データの種類が高優先度のトラヒックであるか否かを監視するトラヒック監視手段と、上記データ送受信手段が消費電力が抑えられる低消費電力状態に設定されていない状況下では、上記トラヒック監視手段の監視結果が、トラヒック量が閾値以下であり、かつ、データの種類が高優先度のトラヒックでない旨を示していれば、上記データ送受信手段を低消費電力状態に設定し、上記データ送受信手段が低消費電力状態に設定されている状況下では、上記トラヒック監視手段の監視結果が、トラヒック量が閾値以上であり、かつ、データの種類が高優先度のトラヒックでない旨を示していれば、上記データ送受信手段の低消費電力状態を解除する消費電力状態変更手段とを備えていることを特徴とする加入者線終端装置。
【請求項２】
消費電力状態変更手段は、データ送受信手段におけるデータの送受信速度を高速から低速に変更することで、上記データ送受信手段を低消費電力状態に設定する一方、上記データ送受信手段におけるデータの送受信速度を低速から高速に変更することで、上記データ送受信手段の低消費電力状態を解除することを特徴とする請求項１記載の加入者線終端装置。
【請求項３】
消費電力状態変更手段は、データ送受信手段におけるデータの送受信速度を変更する際、先にデータの送信停止要求をネットワーク接続機器に送信してから、データの送受信速度を変更することを特徴とする請求項２記載の加入者線終端装置。
【請求項４】
複数の下位ネットワーク側装置を収容しているネットワーク接続機器と、上位ネットワークと接続されている局側装置と、上記ネットワーク接続機器から送信された上り方向のデータを受信して、上記データを上記局側装置に送信する一方、上記局側装置から送信された下り方向のデータを受信して、上記データを上記ネットワーク接続機器に送信する加入者線終端装置とを備えた通信システムにおいて、
上記加入者線終端装置は、上記ネットワーク接続機器から送信された上り方向のデータを受信する一方、上記局側装置から送信された下り方向のデータを上記ネットワーク接続機器に送信するデータ送受信手段と、上記データ送受信手段により送受信されるデータのトラヒック量が予め設定された閾値以上であるか否かを監視するとともに、上記データの種類が高優先度のトラヒックであるか否かを監視するトラヒック監視手段と、上記データ送受信手段が消費電力が抑えられる低消費電力状態に設定されていない状況下では、上記トラヒック監視手段の監視結果が、トラヒック量が閾値以下であり、かつ、データの種類が高優先度のトラヒックでない旨を示していれば、上記データ送受信手段を低消費電力状態に設定し、上記データ送受信手段が低消費電力状態に設定されている状況下では、上記トラヒック監視手段の監視結果が、トラヒック量が閾値以上であり、かつ、データの種類が高優先度のトラヒックでない旨を示していれば、上記データ送受信手段の低消費電力状態を解除する消費電力状態変更手段とを備えていることを特徴とする通信システム。
【請求項５】
加入者線終端装置の消費電力状態変更手段は、データ送受信手段におけるデータの送受信速度を高速から低速に変更することで、上記データ送受信手段を低消費電力状態に設定する一方、上記データ送受信手段におけるデータの送受信速度を低速から高速に変更することで、上記データ送受信手段の低消費電力状態を解除することを特徴とする請求項４記載の通信システム。
【請求項６】
加入者線終端装置の消費電力状態変更手段は、データ送受信手段におけるデータの送受信速度を変更する際、先にデータの送信停止要求をネットワーク接続機器に送信してから、データの送受信速度を変更することを特徴とする請求項５記載の通信システム。
【請求項７】
ネットワーク接続機器は、下位ネットワーク側装置から送信された上り方向のデータを受信する一方、下り方向のデータを上記下位ネットワーク側装置に送信する下位ネットワーク側インタフェース手段と、上記加入者線終端装置から送信された下り方向のデータを受信する一方、上り方向のデータを上記加入者線終端装置に送信するＷＡＮ側インタフェース手段と、上記下位ネットワーク側インタフェース手段により受信された上り方向のデータを上記ＷＡＮ側インタフェース手段に出力する一方、上記ＷＡＮ側インタフェース手段により受信された下り方向のデータの宛先の下位ネットワーク側装置を特定してから、上記データを上記下位ネットワーク側インタフェース手段に出力するルーティング処理手段とを備えており、
上記ＷＡＮ側インタフェース手段は、上記加入者線終端装置のデータ送受信手段におけるデータの送受信速度を検出し、上記送受信速度が高速から低速に変更されると、上記加入者線終端装置に対するデータの送受信速度を高速から低速に変更し、上記データ送受信手段におけるデータの送受信速度が低速から高速に変更されると、上記加入者線終端装置に対するデータの送受信速度を低速から高速に変更する機能を有し、
上記ルーティング処理手段は、上記ＷＡＮ側インタフェース手段におけるデータの送受信速度が高速から低速になると、ルーティング処理の処理能力を下げる一方、上記ＷＡＮ側インタフェース手段におけるデータの送受信速度が低速から高速になると、ルーティング処理の処理能力を上げることを特徴とする請求項５または請求項６記載の通信システム。
【請求項８】
ネットワーク接続機器のルーティング処理手段は、ＷＡＮ側インタフェース手段により送受信されるデータのトラヒック量が予め設定された閾値以上であるか否かを監視するとともに、上記データの種類が高優先度のトラヒックであるか否かを監視し、上記ＷＡＮ側インタフェース手段が低消費電力状態に設定されている状況下では、上記トラヒック量が閾値以上であり、かつ、上記データの種類が高優先度のトラヒックでない旨を示していれば、上記ＷＡＮ側インタフェース手段の低消費電力状態を解除することを特徴とする請求項７記載の通信システム。
【請求項９】
ネットワーク接続機器のルーティング処理手段は、ＷＡＮ側インタフェース手段におけるデータの送受信速度を低速から高速に変更することで、上記ＷＡＮ側インタフェース手段の低消費電力状態を解除することを特徴とする請求項８記載の通信システム。
【請求項１０】
ネットワーク接続機器のルーティング処理手段は、ＷＡＮ側インタフェース手段におけるデータの送受信速度を変更する際、先にデータの送信停止要求を加入者線終端装置に送信してから、データの送受信速度を変更することを特徴とする請求項９記載の通信システム。
【請求項１１】
加入者線終端装置のデータ送受信手段は、ネットワーク接続機器のＷＡＮ側インタフェース手段におけるデータの送受信速度が低速から高速に変更されると、上記ネットワーク接続機器に対するデータの送受信速度を低速から高速に変更する機能を有していることを特徴とする請求項９または請求項１０記載の通信システム。
【請求項１２】
複数の下位ネットワーク側装置を収容しているネットワーク接続機器から送信された上り方向のデータを受信して、上記データを局側装置に送信する一方、上記局側装置から送信された下り方向のデータを受信して、上記データを上記ネットワーク接続機器に送信する加入者線終端装置において、上記ネットワーク接続機器から送信された上り方向のデータを受信する一方、上記局側装置から送信された下り方向のデータを上記ネットワーク接続機器に送信するデータ送受信手段と、上記データ送受信手段により送受信されるデータのトラヒック量が予め設定された閾値以上であるか否かを監視するとともに、上記データの種類が高優先度のトラヒックであるか否かを監視するトラヒック監視手段と、上記データ送受信手段が消費電力が抑えられる低消費電力状態に設定されていない状況下では、上記トラヒック監視手段の監視結果が、トラヒック量が閾値以下であり、かつ、データの種類が高優先度のトラヒックでない旨を示していれば、低消費電力状態への移行を要求する制御信号を上記ネットワーク接続機器に送信して、上記ネットワーク接続機器から低消費電力状態への移行を了解する旨を示す応答信号が送信された場合、上記データ送受信手段を低消費電力状態に設定し、上記データ送受信手段が低消費電力状態に設定されている状況下では、上記トラヒック監視手段の監視結果が、トラヒック量が閾値以上であり、かつ、データの種類が高優先度のトラヒックでない旨を示していれば、低消費電力状態の解除を要求する制御信号を上記ネットワーク接続機器に送信して、上記ネットワーク接続機器から低消費電力状態の解除を了解する旨を示す応答信号が送信された場合、上記データ送受信手段の低消費電力状態を解除する消費電力状態変更手段とを備えていることを特徴とする加入者線終端装置。
【請求項１３】
複数の下位ネットワーク側装置を収容しているネットワーク接続機器と、上位ネットワークと接続されている局側装置と、上記ネットワーク接続機器から送信された上り方向のデータを受信して、上記データを上記局側装置に送信する一方、上記局側装置から送信された下り方向のデータを受信して、上記データを上記ネットワーク接続機器に送信する加入者線終端装置とを備えた通信システムにおいて、
上記加入者線終端装置は、上記ネットワーク接続機器から送信された上り方向のデータを受信する一方、上記局側装置から送信された下り方向のデータを上記ネットワーク接続機器に送信するデータ送受信手段と、上記データ送受信手段により送受信されるデータのトラヒック量が予め設定された閾値以上であるか否かを監視するとともに、上記データの種類が高優先度のトラヒックであるか否かを監視するトラヒック監視手段と、上記データ送受信手段が消費電力が抑えられる低消費電力状態に設定されていない状況下では、上記トラヒック監視手段の監視結果が、トラヒック量が閾値以下であり、かつ、データの種類が高優先度のトラヒックでない旨を示していれば、低消費電力状態への移行を要求する制御信号を上記ネットワーク接続機器に送信して、上記ネットワーク接続機器から低消費電力状態への移行を了解する旨を示す応答信号が送信された場合、上記データ送受信手段を低消費電力状態に設定し、上記データ送受信手段が低消費電力状態に設定されている状況下では、上記トラヒック監視手段の監視結果が、トラヒック量が閾値以上であり、かつ、データの種類が高優先度のトラヒックでない旨を示していれば、低消費電力状態の解除を要求する制御信号を上記ネットワーク接続機器に送信して、上記ネットワーク接続機器から低消費電力状態の解除を了解する旨を示す応答信号が送信された場合、上記データ送受信手段の低消費電力状態を解除する消費電力状態変更手段とを備えていることを特徴とする通信システム。
【請求項１４】
ネットワーク接続機器は、下位ネットワーク側装置から送信された上り方向のデータを受信する一方、下り方向のデータを上記下位ネットワーク側装置に送信する下位ネットワーク側インタフェース手段と、上記加入者線終端装置から送信された下り方向のデータを受信する一方、上り方向のデータを上記加入者線終端装置に送信するＷＡＮ側インタフェース手段と、上記下位ネットワーク側インタフェース手段により受信された上り方向のデータを上記ＷＡＮ側インタフェース手段に出力する一方、上記ＷＡＮ側インタフェース手段により受信された下り方向のデータの宛先の下位ネットワーク側装置を特定してから、上記データを上記下位ネットワーク側インタフェース手段に出力するルーティング処理手段とを備えており、
上記ルーティング処理手段は、上記ＷＡＮ側インタフェース手段により制御信号が受信されると、上記ＷＡＮ側インタフェース手段により送受信されるデータの種類が高優先度のトラヒックであるか否かを監視し、上記データの種類が高優先度のトラヒックでなければ、上記ＷＡＮ側インタフェース手段を介して、了解する旨を示す応答信号を上記加入者線終端装置に送信することを特徴とする請求項１３記載の通信システム。
【請求項１５】
ネットワーク接続機器のルーティング処理手段は、ＷＡＮ側インタフェース手段により受信された制御信号が低消費電力状態への移行を要求する制御信号である場合、ルーティング処理の処理能力を下げるとともに、上記ＷＡＮ側インタフェース手段を低消費電力状態に設定し、上記ＷＡＮ側インタフェース手段により受信された制御信号が低消費電力状態の解除を要求する制御信号である場合、ルーティング処理の処理能力を上げるとともに、上記ＷＡＮ側インタフェース手段の低消費電力状態を解除することを特徴とする請求項１４記載の通信システム。
【発明の詳細な説明】
【技術分野】
【０００１】
この発明は、低消費電力化を図ることが可能なＦＴＴＨ（Ｆｉｂｅｒ  Ｔｏ  Ｔｈｅ  Ｈｏｍｅ）の加入者線終端装置（ＯＮＵ：Ｏｐｔｉｃａｌ  Ｎｅｔｗｏｒｋ  Ｕｎｉｔ）に関するものである。
また、この発明は、ＯＮＵの低消費電力化を図るとともに、ＩＰパケットのルーティング処理等を行うネットワーク接続機器の低消費電力化を図ることが可能な通信システムとに関するものである。
ただし、この発明に係る通信システムにおけるネットワーク接続機器は、ルータ、あるいは、ルータ機能を有するＨＧＷ（Ｈｏｍｅ  Ｇａｔｅ  Ｗａｙ）を示すものであり、以下、ネットワーク接続機器を「ルータ／ＨＧＷ」のように表記することがある。
【背景技術】
【０００２】
ＦＴＴＨの分野では、Ｅｔｈｅｒｎｅｔ（登録商標（以下省略））技術を用いたＰＯＮ（Ｐａｓｓｉｖｅ  Ｏｐｔｉｃａｌ  Ｎｅｔｗｏｒｋ）システムであるＧＥ−ＰＯＮ（Ｇｉｇａｂｉｔ  Ｅｈｔｅｒｎｅｔ−Ｐａｓｓｉｖｅ  Ｏｐｔｉｃａｌ  Ｎｅｔｗｏｒｋ）が台頭し、各家庭にＯＮＵが取り付けられるようになってきている。
ＯＮＵは、通常、加入者宅に設置され、加入者宅では、ＯＮＵの他に、複数の家電製品が設置されている。
近年、家電製品の低消費電力化のニーズが高まっており、ＯＮＵについても低消費電力化のニーズがある。
【０００３】
しかし、加入者が不在などで、データ通信が行われていない状態でも、ＯＮＵやルータ／ＨＧＷが定常的に動作しているため、無駄な電力を消費している状態で放置されることになる。
このため、加入者宅に設置されるＯＮＵについては、待機時の低消費電力化のニーズが高まっており、消費電力を低減することが重要な課題となっている。
これらの対策として、以下の特許文献１には、局側装置から光信号が送信されていない場合、局側装置と論理リンクが確立されていない場合、あるいは、ＬＡＮケーブルがＯＮＵに接続されていない場合のいずれかを検出すると、ＯＮＵを低消費電力モードに移行させることで、低消費電力化を実現する技術が開示されている。
【先行技術文献】
【特許文献】
【０００４】
【特許文献１】特開２００８−１１３１９３号公報（段落番号［００１２］、図１）
【発明の概要】
【発明が解決しようとする課題】
【０００５】
従来の加入者線終端装置は以上のように構成されているので、低消費電力モードに移行させる条件が、局側装置から光信号が送信されていない場合、局側装置と論理リンクが確立されていない場合、あるいは、ＬＡＮケーブルが接続されていない場合のいずれかを検出することである。しかし、加入者宅に設置される場合、通常、局側装置と接続された状態で設置されており、また、ＬＡＮケーブルでＰＣ（Ｐｅｒｓｏｎａｌ  Ｃｏｍｐｕｔｅｒ）やルータ／ＨＧＷと接続された状態で設置される。そのため、定常的に動作しているときに、低消費電力モードに移行させる条件が成立することがなく、低消費電力モードに移行させることができない課題があった。
【０００６】
この発明は上記のような課題を解決するためになされたもので、無駄な電力消費を抑制して、低消費電力化を図ることができる加入者線終端装置を得ることを目的とする。
また、この発明は、加入者線終端装置及びネットワーク接続機器の無駄な電力消費を抑制して、低消費電力化を図ることができる通信システムを得ることを目的とする。
【課題を解決するための手段】
【０００７】
この発明に係る加入者線終端装置は、データ送受信手段により送受信されるデータのトラヒック量が予め設定された閾値以上であるか否かを監視するとともに、そのデータの種類が高優先度のトラヒックであるか否かを監視するトラヒック監視手段を設け、消費電力状態変更手段が、データ送受信手段が低消費電力状態に設定されていない状況下では、トラヒック監視手段の監視結果が、トラヒック量が閾値以下であり、かつ、データの種類が高優先度のトラヒックでない旨を示していれば、データ送受信手段を低消費電力状態に設定し、データ送受信手段が低消費電力状態に設定されている状況下では、トラヒック監視手段の監視結果が、トラヒック量が閾値以上であり、かつ、データの種類が高優先度のトラヒックでない旨を示していれば、データ送受信手段の低消費電力状態を解除するようにしたものである。
【発明の効果】
【０００８】
この発明によれば、データ送受信手段により送受信されるデータのトラヒック量が予め設定された閾値以上であるか否かを監視するとともに、そのデータの種類が高優先度のトラヒックであるか否かを監視するトラヒック監視手段を設け、消費電力状態変更手段が、データ送受信手段が低消費電力状態に設定されていない状況下では、トラヒック監視手段の監視結果が、トラヒック量が閾値以下であり、かつ、データの種類が高優先度のトラヒックでない旨を示していれば、データ送受信手段を低消費電力状態に設定し、データ送受信手段が低消費電力状態に設定されている状況下では、トラヒック監視手段の監視結果が、トラヒック量が閾値以上であり、かつ、データの種類が高優先度のトラヒックでない旨を示していれば、データ送受信手段の低消費電力状態を解除するように構成したので、無駄な電力消費を抑制して、低消費電力化を図ることができる効果がある。
【図面の簡単な説明】
【０００９】
【図１】この発明の実施の形態１による通信システムを示す構成図である。
【図２】低消費電力モード移行時のＯＮＵ４の処理内容を示すフローチャートである。
【図３】通常動作モード移行時のＯＮＵ４の処理内容を示すフローチャートである。
【図４】低消費電力モード移行時のルータ／ＨＧＷ６の処理内容を示すフローチャートである。
【図５】通常動作モード移行時のルータ／ＨＧＷ６の処理内容を示すフローチャートである。
【図６】ルータ／ＨＧＷ６が主導的に低消費電力モードから通常動作モードに移行する際のＯＮＵ４の処理内容を示すフローチャートである。
【図７】ルータ／ＨＧＷ６が主導的に低消費電力モードから通常動作モードに移行する際のルータ／ＨＧＷ６の処理内容を示すフローチャートである。
【図８】この発明の実施の形態３による通信システムを示す構成図である。
【図９】低消費電力モード移行時のＯＮＵ４の処理内容を示すフローチャートである。
【図１０】通常動作モード移行時のＯＮＵ４の処理内容を示すフローチャートである。
【図１１】低消費電力モード移行時のルータ／ＨＧＷ６の処理内容を示すフローチャートである。
【図１２】通常動作モード移行時のルータ／ＨＧＷ６の処理内容を示すフローチャートである。
【発明を実施するための形態】
【００１０】
実施の形態１．
図１はこの発明の実施の形態１による通信システムを示す構成図である。
図１において、上位ネットワーク１は例えばインターネットなどの広域のネットワークである。
局側装置（ＯＬＴ：Ｏｐｔｉｃａｌ  Ｌｉｎｅ  Ｔｅｒｍｉｎａｌ）２は上位ネットワーク１と接続され、かつ、加入者線終端装置（ＯＮＵ：Ｏｐｔｉｃａｌ  Ｎｅｔｗｏｒｋ  Ｕｎｉｔ）４と光ファイバ３を介して接続されており、ＯＮＵ４から送信された上り方向のデータを受信して、そのデータを上位ネットワーク１に送信する一方、上位ネットワーク１から送信された下り方向のデータを受信して、そのデータをＯＮＵ４に送信する処理を実施する。
【００１１】
ＯＮＵ４はＯＬＴ２と光ファイバ３を介して接続され、かつ、ルータ／ＨＧＷ６とＬＡＮケーブル５を介して接続されており、ルータ／ＨＧＷ６から送信された上り方向のデータを受信して、そのデータをＯＬＴ２に送信する一方、ＯＬＴ２から送信された下り方向のデータを受信して、そのデータをルータ／ＨＧＷ６に送信する処理を実施する。
ルータ／ＨＧＷ６は複数のＴＡ（Ｔｅｒｍｉｎａｌ  Ａｄａｐｔｅｒ）７を収容しているネットワーク接続機器（ルータ、あるいは、ルータ機能を有するＨＧＷ（Ｈｏｍｅ  Ｇａｔｅ  Ｗａｙ））であり、ＴＡ７から送信された上り方向のデータを受信して、そのデータをＯＮＵ４に送信する一方、ＯＮＵ４から送信された下り方向のデータを受信して、そのデータをＴＡ７に送信する処理を実施する。
ＴＡ７は例えばＶｏＩＰ−ＴＡ（Ｖｏｉｃｅ  ｏｖｅｒ  Ｉｎｔｅｒｎｅｔ  Ｐｒｏｔｏｃｏｌ−ＴＡ）やＰＣ（Ｐｅｒｓｏｎａｌ  Ｃｏｍｐｕｔｅｒ）などの下位ネットワーク側装置である。
【００１２】
ＯＮＵ４の光送受信器１１はＯＬＴ２から送信された下り方向のデータである光信号を受信すると、その光信号を電気信号に変換して、その電気信号をＰＯＮ制御部１２に出力する一方、ＰＯＮ制御部１２から出力された上り方向のデータである電気信号を光信号に変換して、その光信号をＯＬＴ２に送信する処理を実施する。
ＰＯＮ制御部１２はＯＬＴ２との間で論理リンクを確立し、光送受信器１１から出力された下り方向のデータである電気信号を下りフレーム処理部１３に出力する一方、上りフレームバッファ１７から上り方向のデータである電気信号を読み出して、その電気信号を光送受信器１１に出力する処理を実施する。
【００１３】
下りフレーム処理部１３はＰＯＮ制御部１２から出力された下り方向のデータを優先度分けして、下り方向のデータを下りフレームバッファ１４に書き込む処理を実施する。
下りフレームバッファ１４は下りフレーム処理部１３から出力された下り方向のデータである電気信号を優先度別に格納するメモリである。
ユーザネットワークＩ／Ｆ部１５はルータ／ＨＧＷ６に対するインタフェースであり、ルータ／ＨＧＷ６から送信された上り方向のデータである電気信号を受信して、その電気信号を上りフレーム処理部１６に出力する一方、下りフレームバッファ１４から下り方向のデータである電気信号を読み出して、その電気信号をルータ／ＨＧＷ６に送信する処理を実施する。なお、ユーザネットワークＩ／Ｆ部１５はデータ送受信手段を構成している。
【００１４】
上りフレーム処理部１６はユーザネットワークＩ／Ｆ部１５から出力された上り方向のデータを優先度分けして、上り方向のデータを上りフレームバッファ１７に書き込む処理を実施する。
上りフレームバッファ１７は上りフレーム処理部１６から出力された上り方向のデータである電気信号を優先度別に格納するメモリである。
【００１５】
トラヒック監視部１８は下りフレームバッファ１４及び上りフレームバッファ１７におけるデータの蓄積量及び単位時間当りのフレーム処理数から、ユーザネットワークＩ／Ｆ部１５により送受信されているデータのトラヒック量を把握して、そのトラヒック量が予め設定された閾値以上であるか否かを監視するとともに、そのデータの種類が高優先度のトラヒック（例えば、音声信号などのリアルタイム性が要求されるトラヒック）であるか否かを監視する処理を実施する。
また、トラヒック監視部１８はユーザネットワークＩ／Ｆ部１５が低消費電力状態（消費電力が抑えられる状態）に設定されていない状況下では、トラヒック量が閾値以下であり、かつ、音声信号などのリアルタイム性が要求される高優先度のトラヒックが送受信されていなければ、ユーザネットワークＩ／Ｆ部１５を低消費電力状態に設定し、ユーザネットワークＩ／Ｆ部１５が低消費電力状態に設定されている状況下では、トラヒック量が閾値以上であり、かつ、音声信号などのリアルタイム性が要求される高優先度のトラヒックが送受信されていなければ、ユーザネットワークＩ／Ｆ部１５の低消費電力状態を解除する処理を実施する。
ただし、トラヒック監視部１８はユーザネットワークＩ／Ｆ部１５におけるデータの送受信速度を高速から低速に変更することで、ユーザネットワークＩ／Ｆ部１５を低消費電力状態に設定し、ユーザネットワークＩ／Ｆ部１５におけるデータの送受信速度を低速から高速に変更することで、ユーザネットワークＩ／Ｆ部１５の低消費電力状態を解除する。
【００１６】
なお、トラヒック監視部１８はトラヒック監視手段及び消費電力状態変更手段を構成している。
この実施の形態１では、トラヒック監視部１８がトラヒック監視手段及び消費電力状態変更手段を構成している例を示しているが、トラヒック監視部１８がトラヒック監視手段のみを構成し、消費電力状態変更手段を構成している処理部をトラヒック監視部１８と別個に設けるようにしてもよい。
【００１７】
ルータ／ＨＧＷ６のＷＡＮ・Ｉ／Ｆ部２１はＯＮＵ４に対するインタフェースであり、ＯＮＵ４から送信された下り方向のデータである電気信号を受信して、その電気信号をルーティング処理部２２に出力する一方、ルーティング処理部２２から出力された上り方向のデータである電気信号をＯＮＵ４に送信する処理を実施する。
ただし、ＷＡＮ・Ｉ／Ｆ部２１はＯＮＵ４のユーザネットワークＩ／Ｆ部１５におけるデータの送受信速度を検出し、その受信速度が高速から低速に変更されると、リンクスピード（ＯＮＵ４に対するデータの送受信速度）を低速に変更し、ユーザネットワークＩ／Ｆ部１５におけるデータの送受信速度が低速から高速に変更されると、リンクスピードを高速に変更する機能を有している。
【００１８】
ここで、ルータ／ＨＧＷ６のＷＡＮ・Ｉ／Ｆ部２１及びＯＮＵ４のユーザネットワークＩ／Ｆ部１５がＩＥＥＥ８０２．３に準拠しているＬＡＮ・Ｉ／Ｆである場合、Ａｕｔｏｎｅｇｏｔｉａｔｉｏｎ機能を有している。Ａｕｔｏｎｅｇｏｔｉａｔｉｏｎ機能は、対向装置のリンクスピードの変更を検出して、自装置のリンクスピードを対向装置のリンクスピードに合わせる機能である。
この実施の形態１では、ルータ／ＨＧＷ６のＷＡＮ・Ｉ／Ｆ部２１及びＯＮＵ４のユーザネットワークＩ／Ｆ部１５は、ＩＥＥＥ８０２．３に準拠しているＬＡＮ・Ｉ／Ｆであり、Ａｕｔｏｎｅｇｏｔｉａｔｉｏｎ機能を有しているものとする。
なお、ＷＡＮ・Ｉ／Ｆ部２１はＷＡＮ側インタフェース手段を構成している。
【００１９】
ルーティング処理部２２はＬ２ＳＷ部２３から出力された上り方向のデータである電気信号をＷＡＮ・Ｉ／Ｆ部２１に出力する一方、ＷＡＮ・Ｉ／Ｆ部２１により受信された下り方向のデータの宛先を特定して、そのデータの宛先をＬ２ＳＷ部２３に指示するとともに、そのデータをＬ２ＳＷ部２３に出力するルーティング処理を実施する。
ただし、ルーティング処理部２２はＷＡＮ・Ｉ／Ｆ部２１におけるリンクスピードが高速から低速になると、ルーティング処理の処理能力を下げる一方、ＷＡＮ・Ｉ／Ｆ部２１におけるリンクスピードが低速から高速になると、ルーティング処理の処理能力を上げるようにする。
なお、ルーティング処理部２２はルーティング処理手段を構成している。
【００２０】
Ｌ２ＳＷ部２３はルーティング処理部２２から出力された下り方向のデータをルーティング処理部２２により指定された宛先のＴＡ７と接続されているユーザネットワークＩ／Ｆ部２４に出力する一方、いずれかのユーザネットワークＩ／Ｆ部２４から出力された上り方向のデータをルーティング処理部２２に出力する処理を実施する。
ユーザネットワークＩ／Ｆ部２４はＴＡ７に対するインタフェースであり、ＴＡ７から送信された上り方向のデータである電気信号を受信して、その電気信号をＬ２ＳＷ部２３に出力する一方、Ｌ２ＳＷ部２３から出力された下り方向のデータである電気信号をＴＡ７に送信する処理を実施する。
なお、Ｌ２ＳＷ部２３及びユーザネットワークＩ／Ｆ部２４から下位ネットワーク側インタフェース手段が構成されている。
【００２１】
図２は低消費電力モード移行時のＯＮＵ４の処理内容を示すフローチャートであり、図３は通常動作モード移行時のＯＮＵ４の処理内容を示すフローチャートである。
図４は低消費電力モード移行時のルータ／ＨＧＷ６の処理内容を示すフローチャートであり、図５は通常動作モード移行時のルータ／ＨＧＷ６の処理内容を示すフローチャートである。
【００２２】
次に動作について説明する。
最初に、図２及び図４を参照しながら、通常動作モード（低消費電力状態が設定されていない状態）から低消費電力モード（低消費電力状態が設定されている状態）に移行する際の処理内容を説明する。
ＯＮＵ４及びルータ／ＨＧＷ６の電源が投入されており、ＯＬＴ２から送信された下り方向のデータがＯＮＵ４からルータ／ＨＧＷ６の方向に流れ、ＴＡ７から送信された上り方向のデータがルータ／ＨＧＷ６からＯＮＵ４の方向に流れているものとする。
このとき、ＯＮＵ４の下りフレームバッファ１４には、ＯＬＴ２から送信された下り方向のデータが蓄積され、上りフレームバッファ１７には、ＴＡ７から送信された上り方向のデータが蓄積される。
【００２３】
ただし、通常動作モードでは、ＯＮＵ４におけるユーザネットワークＩ／Ｆ部１５のリンクスピード（ルータ／ＨＧＷ６に対するユーザネットワークＩ／Ｆ部１５のデータの送受信速度）は高速であり、ルータ／ＨＧＷ６におけるＷＡＮ・Ｉ／Ｆ部２１のリンクスピード（ＯＮＵ４に対するＷＡＮ・Ｉ／Ｆ部２１のデータの送受信速度）は高速である。
また、ルーティング処理部２２におけるルーティング処理の処理能力は上げられている状態である。
【００２４】
ＯＮＵ４のトラヒック監視部１８は、下りフレームバッファ１４における下り方向のデータの蓄積量及び単位時間当りのフレーム処理数からユーザネットワークＩ／Ｆ部１５により送信される下り方向のデータのトラヒック量を把握する（図２のステップＳＴ１）。
また、トラヒック監視部１８は、上りフレームバッファ１７における上り方向のデータの蓄積量及び単位時間当りのフレーム処理数からユーザネットワークＩ／Ｆ部１５により受信される上り方向のデータのトラヒック量を把握する（ステップＳＴ１）。
【００２５】
トラヒック監視部１８は、下り方向及び上り方向のデータのトラヒック量を把握すると、そのトラヒック量と予め設定されている閾値を比較して、そのトラヒック量が閾値以下であるか否かを判定する（ステップＳＴ２）。
トラヒック監視部１８は、下り方向のデータのトラヒック量が閾値より多い場合、あるいは、上り方向のデータのトラヒック量が閾値より多い場合、通常動作モードから低消費電力モードへの移行を行わず、ステップＳＴ１の処理に戻る。
【００２６】
トラヒック監視部１８は、下り方向のデータのトラヒック量が閾値以下であり、かつ、上り方向のデータのトラヒック量が閾値以下である場合、下りフレームバッファ１４及び上りフレームバッファ１７に蓄積されているデータの種類が高優先度のトラヒックであるか否かを判定する（ステップＳＴ３）。
即ち、ユーザネットワークＩ／Ｆ部１５によって、例えば、音声信号などのリアルタイム性が要求される高優先度のトラヒックが送受信されているか否かを判定する。
【００２７】
トラヒック監視部１８は、音声信号などのリアルタイム性が要求される高優先度のトラヒックがユーザネットワークＩ／Ｆ部１５により送受信されている場合、通常動作モードから低消費電力モードへの移行を行わず、ステップＳＴ１の処理に戻る。
トラヒック監視部１８は、音声信号などのリアルタイム性が要求される高優先度のトラヒックがユーザネットワークＩ／Ｆ部１５により送受信されていない場合、通常動作モードから低消費電力モードに移行するため、ユーザネットワークＩ／Ｆ部１５を介して、ＩＥＥＥ８０２．３ｘに規定されているＰａｕｓｅフレーム（フレームの送信停止要求）をルータ／ＨＧＷ６に送信する（ステップＳＴ４）。
ここで、Ｐａｕｓｅフレームをルータ／ＨＧＷ６に送信する理由は、通常動作モードから低消費電力モードに移行するに際して、後述するように、Ｅｔｈｅｒｎｅｔでリンクスピードを変更すると、一旦リンクが切れてしまうので、その間、ルータ／ＨＧＷ６から上り方向のデータが送信されると、ユーザネットワークＩ／Ｆ部１５が、そのデータを受信することができず、損失を招いてしまうからである。
【００２８】
トラヒック監視部１８は、Ｐａｕｓｅフレームをルータ／ＨＧＷ６に送信すると、ユーザネットワークＩ／Ｆ部１５のリンクスピードを高速から低速に変更することで（ステップＳＴ５）、ユーザネットワークＩ／Ｆ部１５を低消費電力状態に設定して、通常動作モードから低消費電力モードに移行する。
例えば、ユーザネットワークＩ／Ｆ部１５の変更前のリンクスピードが１０００Ｍｂｐｓである場合、１００Ｍｂｐｓ又は１０Ｍｂｐｓに変更する。
また、ユーザネットワークＩ／Ｆ部１５の変更前のリンクスピードが１００Ｍｂｐｓである場合、１０Ｍｂｐｓに変更する。
ここでは、ユーザネットワークＩ／Ｆ部１５のリンクスピードは、Ｅｔｈｅｒｎｅｔで使用されるリンクスピードを想定しているが、これは、あくまでも一例である。
【００２９】
ルータ／ＨＧＷ６のＷＡＮ・Ｉ／Ｆ部２１は、Ａｕｔｏｎｅｇｏｔｉａｔｉｏｎ機能を有しており、Ａｕｔｏｎｅｇｏｔｉａｔｉｏｎ機能を使用することで、対向装置であるＯＮＵ４におけるユーザネットワークＩ／Ｆ部１５のリンクスピードを監視する（図４のステップＳＴ２１）。
ＷＡＮ・Ｉ／Ｆ部２１は、ＯＮＵ４から送信されたＰａｕｓｅフレームを受信すると、ルーティング処理部２２から出力された上り方向のデータをＯＮＵ４に送信する処理を一時的に中断し、その後、ＯＮＵ４におけるユーザネットワークＩ／Ｆ部１５のリンクスピードが高速から低速に変更されたことを検出すると（ステップＳＴ２２）、自身のリンクスピード（ＯＮＵ４に対するデータの送受信速度）を高速から低速に変更する。
【００３０】
ルーティング処理部２２は、ＷＡＮ・Ｉ／Ｆ部２１のリンクスピードが高速から低速に変更されると、ルーティング処理の処理能力を下げることで（ステップＳＴ２３）、通常動作モードから低消費電力モードに移行する。
ＷＡＮ・Ｉ／Ｆ部２１は、通常動作モードから低消費電力モードへの移行が完了すると、一時的に中断していた上り方向のデータの送信処理を再開する。
なお、ＯＮＵ４のユーザネットワークＩ／Ｆ部１５及びルータ／ＨＧＷ６のＷＡＮ・Ｉ／Ｆ部２１のリンクスピードが、例えば、１０００Ｍｂｐｓから１００Ｍｂｐｓに変更されると、使用しているデバイス等の条件にもよるが、ＯＮＵ４及びルータ／ＨＧＷ６の消費電力が０．６ワット程度削減される。
【００３１】
次に、図３及び図５を参照しながら、低消費電力モードから通常動作モードに移行する際の処理内容を説明する。
ＯＮＵ４及びルータ／ＨＧＷ６の電源が投入されており、ＯＬＴ２から送信された下り方向のデータがＯＮＵ４からルータ／ＨＧＷ６の方向に流れ、ＴＡ７から送信された上り方向のデータがルータ／ＨＧＷ６からＯＮＵ４の方向に流れているものとする。
このとき、ＯＮＵ４の下りフレームバッファ１４には、ＯＬＴ２から送信された下り方向のデータが蓄積され、上りフレームバッファ１７には、ＴＡ７から送信された上り方向のデータが蓄積される。
ただし、低消費電力モードでは、ＯＮＵ４におけるユーザネットワークＩ／Ｆ部１５のリンクスピードは低速であり、ルータ／ＨＧＷ６におけるＷＡＮ・Ｉ／Ｆ部２１のリンクスピードは低速である。
また、ルーティング処理部２２におけるルーティング処理の処理能力は下げられている状態である。
【００３２】
ＯＮＵ４のトラヒック監視部１８は、下りフレームバッファ１４における下り方向のデータの蓄積量及び単位時間当りのフレーム処理数からユーザネットワークＩ／Ｆ部１５により送信される下り方向のデータのトラヒック量を把握する（図３のステップＳＴ１１）。
また、トラヒック監視部１８は、上りフレームバッファ１７における上り方向のデータの蓄積量及び単位時間当りのフレーム処理数からユーザネットワークＩ／Ｆ部１５により受信される上り方向のデータのトラヒック量を把握する（ステップＳＴ１１）。
【００３３】
トラヒック監視部１８は、下り方向及び上り方向のデータのトラヒック量を把握すると、そのトラヒック量と予め設定されている閾値を比較して、そのトラヒック量が閾値以上であるか否かを判定する（ステップＳＴ１２）。
トラヒック監視部１８は、下り方向のデータのトラヒック量が閾値より少ない場合、あるいは、上り方向のデータのトラヒック量が閾値より少ない場合、低消費電力モードから通常動作モードへの移行を行わず、ステップＳＴ１１の処理に戻る。
【００３４】
トラヒック監視部１８は、下り方向のデータのトラヒック量が閾値以上であり、かつ、上り方向のデータのトラヒック量が閾値以上である場合、下りフレームバッファ１４及び上りフレームバッファ１７に蓄積されているデータの種類が高優先度のトラヒックであるか否かを判定する（ステップＳＴ１３）。
即ち、ユーザネットワークＩ／Ｆ部１５によって、例えば、音声信号などのリアルタイム性が要求される高優先度のトラヒックが送受信されているか否かを判定する。
【００３５】
トラヒック監視部１８は、音声信号などのリアルタイム性が要求される高優先度のトラヒックがユーザネットワークＩ／Ｆ部１５により送受信されている場合、低消費電力モードから通常動作モードへの移行を行わず、ステップＳＴ１１の処理に戻る。
トラヒック監視部１８は、音声信号などのリアルタイム性が要求される高優先度のトラヒックがユーザネットワークＩ／Ｆ部１５により送受信されていない場合、低消費電力モードから通常動作モードに移行するため、ユーザネットワークＩ／Ｆ部１５を介して、ＩＥＥＥ８０２．３ｘに規定されているＰａｕｓｅフレーム（フレームの送信停止要求）をルータ／ＨＧＷ６に送信する（ステップＳＴ１４）。
ここで、Ｐａｕｓｅフレームをルータ／ＨＧＷ６に送信する理由は、低消費電力モードから通常動作モードに移行するに際して、後述するように、Ｅｔｈｅｒｎｅｔでリンクスピードを変更すると、一旦リンクが切れてしまうので、その間、ルータ／ＨＧＷ６から上り方向のデータが送信されると、ユーザネットワークＩ／Ｆ部１５が、そのデータを受信することができず、損失を招いてしまうからである。
【００３６】
トラヒック監視部１８は、Ｐａｕｓｅフレームをルータ／ＨＧＷ６に送信すると、ユーザネットワークＩ／Ｆ部１５のリンクスピードを低速から高速に変更することで（ステップＳＴ１５）、ユーザネットワークＩ／Ｆ部１５の低消費電力状態を解除して、低消費電力モードから通常動作モードに移行する。
例えば、ユーザネットワークＩ／Ｆ部１５の変更前のリンクスピードが１０Ｍｂｐｓである場合、１０００Ｍｂｐｓ又は１００Ｍｂｐｓに変更する。
また、ユーザネットワークＩ／Ｆ部１５の変更前のリンクスピードが１００Ｍｂｐｓである場合、１０００Ｍｂｐｓに変更する。
【００３７】
ルータ／ＨＧＷ６のＷＡＮ・Ｉ／Ｆ部２１は、Ａｕｔｏｎｅｇｏｔｉａｔｉｏｎ機能を有しており、Ａｕｔｏｎｅｇｏｔｉａｔｉｏｎ機能を使用することで、対向装置であるＯＮＵ４におけるユーザネットワークＩ／Ｆ部１５のリンクスピードを監視する（図５のステップＳＴ３１）。
ＷＡＮ・Ｉ／Ｆ部２１は、ＯＮＵ４から送信されたＰａｕｓｅフレームを受信すると、ルーティング処理部２２から出力された上り方向のデータをＯＮＵ４に送信する処理を一時的に中断し、その後、ＯＮＵ４におけるユーザネットワークＩ／Ｆ部１５のリンクスピードが低速から高速に変更されたことを検出すると（ステップＳＴ３２）、自身のリンクスピード（ＯＮＵ４に対するデータの送受信速度）を低速から高速に変更する。
【００３８】
ルーティング処理部２２は、ＷＡＮ・Ｉ／Ｆ部２１のリンクスピードが低速から高速に変更されると、ルーティング処理の処理能力を上げることで（ステップＳＴ３３）、低消費電力モードから通常動作モードに移行する。
ＷＡＮ・Ｉ／Ｆ部２１は、低消費電力モードから通常動作モードへの移行が完了すると、一時的に中断していた上り方向のデータの送信処理を再開する。
【００３９】
以上で明らかなように、この実施の形態１によれば、ユーザネットワークＩ／Ｆ部１５により送受信されるデータのトラヒック量が予め設定された閾値以上であるか否かを監視するとともに、そのデータの種類が高優先度のトラヒックであるか否かを監視するトラヒック監視部１８を設け、ユーザネットワークＩ／Ｆ部１５が低消費電力状態に設定されていない状況下では、トラヒック量が閾値以下であり、かつ、データの種類が高優先度のトラヒックでなければ、ユーザネットワークＩ／Ｆ部１５を低消費電力状態に設定し、ユーザネットワークＩ／Ｆ部１５が低消費電力状態に設定されている状況下では、トラヒック量が閾値以上であり、かつ、データの種類が高優先度のトラヒックでなければ、ユーザネットワークＩ／Ｆ部１５の低消費電力状態を解除するように構成したので、音声信号などのリアルタイム性が要求される高優先度のトラヒックに影響を及ぼすことなく、無駄な電力消費を抑制して、低消費電力化を図ることができる効果を奏する。
【００４０】
また、この実施の形態１によれば、トラヒック監視部１８が、ユーザネットワークＩ／Ｆ部１５のリンクスピードを高速から低速に変更することで、ユーザネットワークＩ／Ｆ部１５を低消費電力状態に設定する一方、ユーザネットワークＩ／Ｆ部１５のリンクスピードを低速から高速に変更することで、ユーザネットワークＩ／Ｆ部１５の低消費電力状態を解除するように構成したので、ＯＮＵ４の消費電力状態を速やかに切り換えることができる効果を奏する。
【００４１】
この実施の形態１によれば、トラヒック監視部１８が、ユーザネットワークＩ／Ｆ部１５のリンクスピードを変更する際、先にＰａｕｓｅフレームをルータ／ＨＧＷ６に送信してから、ユーザネットワークＩ／Ｆ部１５のリンクスピードを変更するように構成したので、上り方向のデータの損失を防止することができる効果を奏する。
【００４２】
また、この実施の形態１によれば、ＯＮＵ４におけるユーザネットワークＩ／Ｆ部１５のリンクスピードが高速から低速に変更されたことを検出すると、ＷＡＮ・Ｉ／Ｆ部２１のリンクスピードを高速から低速に変更し、ユーザネットワークＩ／Ｆ部１５のリンクスピードが低速から高速に変更されたことを検出すると、ＷＡＮ・Ｉ／Ｆ部２１のリンクスピードを低速から高速に変更するＡｕｔｏｎｅｇｏｔｉａｔｉｏｎ機能をＷＡＮ・Ｉ／Ｆ部２１に実装するように構成したので、簡単にＷＡＮ・Ｉ／Ｆ部２１のリンクスピードをユーザネットワークＩ／Ｆ部１５のリンクスピードに合わせることができる効果を奏する。
【００４３】
さらに、この実施の形態１によれば、ＷＡＮ・Ｉ／Ｆ部２１のリンクスピードが高速から低速になると、ルーティング処理の処理能力を下げる一方、ＷＡＮ・Ｉ／Ｆ部２１のリンクスピードが低速から高速になると、ルーティング処理の処理能力を上げるように構成したので、データ通信に影響を与えることなく、ルータ／ＨＧＷ６におけるルーティング処理部２２の消費電力状態を切り換えることができる効果を奏する。
【００４４】
実施の形態２．
上記実施の形態１では、低消費電力モードから通常動作モードに移行する際、ＯＮＵ４が主導的にモードの移行処理を行うものについて示したが、この実施の形態２では、ルータ／ＨＧＷ６が主導的に低消費電力モードから通常動作モードに移行する処理を追加している。
即ち、この実施の形態２では、上記実施の形態１と同様に、ＯＮＵ４が主導的に通常動作モードから低消費電力モードに移行する処理と、ＯＮＵ４が主導的に低消費電力モードから通常動作モードに移行する処理と、ルータ／ＨＧＷ６が主導的に低消費電力モードから通常動作モードに移行する処理とを実装している。
【００４５】
図６はルータ／ＨＧＷ６が主導的に低消費電力モードから通常動作モードに移行する際のＯＮＵ４の処理内容を示すフローチャートである。
図７はルータ／ＨＧＷ６が主導的に低消費電力モードから通常動作モードに移行する際のルータ／ＨＧＷ６の処理内容を示すフローチャートである。
【００４６】
次に動作について説明する。
ただし、低消費電力モードから通常動作モードに移行する際の処理内容は、上記実施の形態１と同様であるため説明を省略する（図２及び図４を参照）。
また、ＯＮＵ４が主導的に低消費電力モードから通常動作モードに移行する際の処理内容も、上記実施の形態１と同様であるため説明を省略する（図３及び図５を参照）。
したがって、ここでは、図６及び図７を参照しながら、ルータ／ＨＧＷ６が主導的に低消費電力モードから通常動作モードに移行する際の処理内容を説明する。
【００４７】
ＯＮＵ４及びルータ／ＨＧＷ６の電源が投入されており、ＯＬＴ２から送信された下り方向のデータがＯＮＵ４からルータ／ＨＧＷ６の方向に流れ、ＴＡ７から送信された上り方向のデータがルータ／ＨＧＷ６からＯＮＵ４の方向に流れているものとする。
このとき、ＯＮＵ４の下りフレームバッファ１４には、ＯＬＴ２から送信された下り方向のデータが蓄積され、上りフレームバッファ１７には、ＴＡ７から送信された上り方向のデータが蓄積される。
ただし、低消費電力モードでは、ＯＮＵ４におけるユーザネットワークＩ／Ｆ部１５のリンクスピードは低速であり、ルータ／ＨＧＷ６におけるＷＡＮ・Ｉ／Ｆ部２１のリンクスピードは低速である。
また、ルーティング処理部２２におけるルーティング処理の処理能力は下げられている状態である。
【００４８】
ルータ／ＨＧＷ６のルーティング処理部２２は、下り方向のデータの単位時間当りのフレーム処理数からＷＡＮ・Ｉ／Ｆ部２１により受信される下り方向のデータのトラヒック量を把握する（図７のステップＳＴ５１）。
また、ルーティング処理部２２は、上り方向のデータの単位時間当りのフレーム処理数からＷＡＮ・Ｉ／Ｆ部２１により送信される上り方向のデータのトラヒック量を把握する（ステップＳＴ５１）。
【００４９】
ルーティング処理部２２は、下り方向及び上り方向のデータのトラヒック量を把握すると、そのトラヒック量と予め設定されている閾値を比較して、そのトラヒック量が閾値以上であるか否かを判定する（ステップＳＴ５２）。
ルーティング処理部２２は、下り方向のデータのトラヒック量が閾値より少ない場合、あるいは、上り方向のデータのトラヒック量が閾値より少ない場合、低消費電力モードから通常動作モードへの移行を行わず、ステップＳＴ５１の処理に戻る。
【００５０】
ルーティング処理部２２は、下り方向のデータのトラヒック量が閾値以上であり、かつ、上り方向のデータのトラヒック量が閾値以上である場合、下り方向及び上り方向のデータの種類が高優先度のトラヒックであるか否かを判定する（ステップＳＴ５３）。
即ち、ＷＡＮ・Ｉ／Ｆ部２１によって、例えば、音声信号などのリアルタイム性が要求される高優先度のトラヒックが送受信されているか否かを判定する。
【００５１】
ルーティング処理部２２は、音声信号などのリアルタイム性が要求される高優先度のトラヒックがＷＡＮ・Ｉ／Ｆ部２１により送受信されている場合、低消費電力モードから通常動作モードへの移行を行わず、ステップＳＴ５１の処理に戻る。
ルーティング処理部２２は、音声信号などのリアルタイム性が要求される高優先度のトラヒックがＷＡＮ・Ｉ／Ｆ部２１により送受信されていない場合、低消費電力モードから通常動作モードに移行するため、ＷＡＮ・Ｉ／Ｆ部２１を介して、ＩＥＥＥ８０２．３ｘに規定されているＰａｕｓｅフレーム（フレームの送信停止要求）をＯＮＵ４に送信する（ステップＳＴ５４）。
ここで、ＰａｕｓｅフレームをＯＮＵ４に送信する理由は、低消費電力モードから通常動作モードに移行するに際して、後述するように、Ｅｔｈｅｒｎｅｔでリンクスピードを変更すると、一旦リンクが切れてしまうので、その間、ＯＮＵ４から下り方向のデータが送信されると、ＷＡＮ・Ｉ／Ｆ部２１が、そのデータを受信することができず、損失を招いてしまうからである。
【００５２】
ルーティング処理部２２は、ＰａｕｓｅフレームをＯＮＵ４に送信すると、ＷＡＮ・Ｉ／Ｆ部２１のリンクスピードを低速から高速に変更することで（ステップＳＴ５５）、ＷＡＮ・Ｉ／Ｆ部２１の低消費電力状態を解除する。
また、ルーティング処理部２２は、ルーティング処理の処理能力を上げることで（ステップＳＴ５６）、低消費電力モードから通常動作モードに移行する。
【００５３】
ＯＮＵ４のユーザネットワークＩ／Ｆ部１５は、ルータ／ＨＧＷ６のＷＡＮ・Ｉ／Ｆ部２１と同様に、Ａｕｔｏｎｅｇｏｔｉａｔｉｏｎ機能を有しており、Ａｕｔｏｎｅｇｏｔｉａｔｉｏｎ機能を使用することで、対向装置であるルータ／ＨＧＷ６におけるＷＡＮ・Ｉ／Ｆ部２１のリンクスピードを監視する（図６のステップＳＴ４１）。
ユーザネットワークＩ／Ｆ部１５は、ルータ／ＨＧＷ６から送信されたＰａｕｓｅフレームを受信すると、下りフレームバッファ１４に蓄積されている下り方向のデータをルータ／ＨＧＷ６に送信する処理を一時的に中断し、その後、ルータ／ＨＧＷ６におけるＷＡＮ・Ｉ／Ｆ部２１のリンクスピードが低速から高速に変更されたことを検出すると（ステップＳＴ４２）、自身のリンクスピード（ルータ／ＨＧＷ６に対するデータの送受信速度）を低速から高速に変更する。
ユーザネットワークＩ／Ｆ部１５は、低消費電力モードから通常動作モードへの移行が完了すると、一時的に中断していた下り方向のデータの送信処理を再開する。
【００５４】
以上で明らかなように、この実施の形態２によれば、ＯＮＵ４が主導的に低消費電力モードから通常動作モードに移行する処理の他に、ルータ／ＨＧＷ６が主導的に低消費電力モードから通常動作モードに移行する処理を追加するように構成したので、上記実施の形態１と同様の効果を奏するとともに、上記実施の形態１よりも素早く低消費電力モードから通常動作モードに移行させることができる効果を奏する。
【００５５】
実施の形態３．
図８はこの発明の実施の形態３による通信システムを示す構成図であり、図において、図１と同一符号は同一又は相当部分を示すので説明を省略する。
トラヒック監視部３１は図１のトラヒック監視部１８と同様に、下りフレームバッファ１４及び上りフレームバッファ１７におけるデータの蓄積量及び単位時間当りのフレーム処理数から、ユーザネットワークＩ／Ｆ部１５により送受信されているデータのトラヒック量を把握して、そのトラヒック量が予め設定された閾値以上であるか否かを監視するとともに、そのデータの種類が高優先度のトラヒック（例えば、音声信号などのリアルタイム性が要求されるトラヒック）であるか否かを監視する処理を実施する。
【００５６】
トラヒック監視部３１はユーザネットワークＩ／Ｆ部１５が低消費電力状態に設定されていない状況下では、トラヒック量が閾値以下であり、かつ、音声信号などのリアルタイム性が要求される高優先度のトラヒックが送受信されていなければ、リンクスピード指示フレーム生成部３２及びユーザネットワークＩ／Ｆ部１５を介して、低消費電力状態への移行を要求する制御信号であるリンクスピード指示フレームをルータ／ＨＧＷ６に送信し、ルータ／ＨＧＷ６から低消費電力状態への移行を了解する旨を示す応答フレーム（応答信号）が送信された場合、ユーザネットワークＩ／Ｆ部１５を低消費電力状態に設定し、ユーザネットワークＩ／Ｆ部１５が低消費電力状態に設定されている状況下では、トラヒック量が閾値以上であり、かつ、音声信号などのリアルタイム性が要求される高優先度のトラヒックが送受信されていなければ、リンクスピード指示フレーム生成部３２及びユーザネットワークＩ／Ｆ部１５を介して、低消費電力状態の解除を要求する制御信号であるリンクスピード指示フレームをルータ／ＨＧＷ６に送信し、ルータ／ＨＧＷ６から低消費電力状態の解除を了解する旨を示す応答フレーム（応答信号）が送信された場合、ユーザネットワークＩ／Ｆ部１５の低消費電力状態を解除する処理を実施する。
ただし、トラヒック監視部３１はユーザネットワークＩ／Ｆ部１５におけるデータの送受信速度を高速から低速に変更することで、ユーザネットワークＩ／Ｆ部１５を低消費電力状態に設定し、ユーザネットワークＩ／Ｆ部１５におけるデータの送受信速度を低速から高速に変更することで、ユーザネットワークＩ／Ｆ部１５の低消費電力状態を解除する。
【００５７】
リンクスピード指示フレーム生成部３２はトラヒック監視部３１の指示の下、低消費電力状態への移行を要求する制御信号であるリンクスピード指示フレーム、または、低消費電力状態の解除を要求する制御信号であるリンクスピード指示フレームを生成し、ユーザネットワークＩ／Ｆ部１５を介して、そのリンクスピード指示フレームをルータ／ＨＧＷ６に送信する処理を実施する。
なお、トラヒック監視部３１及びリンクスピード指示フレーム生成部３２から、トラヒック監視手段及び消費電力状態変更手段が構成されている。
【００５８】
ルーティング処理部４１は図１のルーティング処理部２２と同様に、Ｌ２ＳＷ部２３から出力された上り方向のデータである電気信号をＷＡＮ・Ｉ／Ｆ部２１に出力する一方、ＷＡＮ・Ｉ／Ｆ部２１により受信された下り方向のデータの宛先を特定して、そのデータの宛先をＬ２ＳＷ部２３に指示するとともに、そのデータをＬ２ＳＷ部２３に出力するルーティング処理を実施する。
ただし、ルーティング処理部４１はＷＡＮ・Ｉ／Ｆ部２１がＯＮＵ４から送信されたリンクスピード指示フレームを受信すると、ＷＡＮ・Ｉ／Ｆ部２１により送受信されるデータの種類が高優先度のトラヒック（例えば、音声信号などのリアルタイム性が要求されるトラヒック）であるか否かを監視し、データの種類が高優先度のトラヒックでなければ、ＷＡＮ・Ｉ／Ｆ部２１を介して、了解する旨を示す応答フレーム（応答信号）をＯＮＵ４に送信する処理を実施する。
【００５９】
また、ルーティング処理部４１はＷＡＮ・Ｉ／Ｆ部２１により受信されたリンクスピード指示フレームが低消費電力状態への移行を要求する制御信号である場合、ルーティング処理の処理能力を下げるとともに、ＷＡＮ・Ｉ／Ｆ部２１のリンクスピードを高速から低速に変更し、ＷＡＮ・Ｉ／Ｆ部２１により受信されたリンクスピード指示フレームが低消費電力状態の解除を要求する制御信号である場合、ルーティング処理の処理能力を上げるとともに、ＷＡＮ・Ｉ／Ｆ部２１のリンクスピードを低速から高速に変更する処理を実施する。
なお、ルーティング処理部４１はルーティング処理手段を構成している。
【００６０】
図９は低消費電力モード移行時のＯＮＵ４の処理内容を示すフローチャートであり、図１０は通常動作モード移行時のＯＮＵ４の処理内容を示すフローチャートである。
図１１は低消費電力モード移行時のルータ／ＨＧＷ６の処理内容を示すフローチャートであり、図１２は通常動作モード移行時のルータ／ＨＧＷ６の処理内容を示すフローチャートである。
【００６１】
次に動作について説明する。
最初に、図９及び図１１を参照しながら、通常動作モードから低消費電力モードに移行する際の処理内容を説明する。
ＯＮＵ４及びルータ／ＨＧＷ６の電源が投入されており、ＯＬＴ２から送信された下り方向のデータがＯＮＵ４からルータ／ＨＧＷ６の方向に流れ、ＴＡ７から送信された上り方向のデータがルータ／ＨＧＷ６からＯＮＵ４の方向に流れているものとする。
このとき、ＯＮＵ４の下りフレームバッファ１４には、ＯＬＴ２から送信された下り方向のデータが蓄積され、上りフレームバッファ１７には、ＴＡ７から送信された上り方向のデータが蓄積される。
【００６２】
ただし、通常動作モードでは、ＯＮＵ４におけるユーザネットワークＩ／Ｆ部１５のリンクスピードは高速であり、ルータ／ＨＧＷ６におけるＷＡＮ・Ｉ／Ｆ部２１のリンクスピードは高速である。
また、ルーティング処理部４１におけるルーティング処理の処理能力は上げられている状態である。
【００６３】
ＯＮＵ４のトラヒック監視部３１は、下りフレームバッファ１４における下り方向のデータの蓄積量及び単位時間当りのフレーム処理数からユーザネットワークＩ／Ｆ部１５により送信される下り方向のデータのトラヒック量を把握する（図９のステップＳＴ６１）。
また、トラヒック監視部３１は、上りフレームバッファ１７における上り方向のデータの蓄積量及び単位時間当りのフレーム処理数からユーザネットワークＩ／Ｆ部１５により受信される上り方向のデータのトラヒック量を把握する（ステップＳＴ６１）。
【００６４】
トラヒック監視部３１は、下り方向及び上り方向のデータのトラヒック量を把握すると、そのトラヒック量と予め設定されている閾値を比較して、そのトラヒック量が閾値以下であるか否かを判定する（ステップＳＴ６２）。
トラヒック監視部３１は、下り方向のデータのトラヒック量が閾値より多い場合、あるいは、上り方向のデータのトラヒック量が閾値より多い場合、通常動作モードから低消費電力モードへの移行を行わず、ステップＳＴ６１の処理に戻る。
【００６５】
トラヒック監視部３１は、下り方向のデータのトラヒック量が閾値以下であり、かつ、上り方向のデータのトラヒック量が閾値以下である場合、下りフレームバッファ１４及び上りフレームバッファ１７に蓄積されているデータの種類が高優先度のトラヒックであるか否かを判定する（ステップＳＴ６３）。
即ち、ユーザネットワークＩ／Ｆ部１５によって、例えば、音声信号などのリアルタイム性が要求される高優先度のトラヒックが送受信されているか否かを判定する。
【００６６】
トラヒック監視部３１は、音声信号などのリアルタイム性が要求される高優先度のトラヒックがユーザネットワークＩ／Ｆ部１５により送受信されている場合、通常動作モードから低消費電力モードへの移行を行わず、ステップＳＴ６１の処理に戻る。
トラヒック監視部３１は、音声信号などのリアルタイム性が要求される高優先度のトラヒックがユーザネットワークＩ／Ｆ部１５により送受信されていない場合、通常動作モードから低消費電力モードに移行するため、低消費電力状態への移行を要求する制御信号であるリンクスピード指示フレームの生成をリンクスピード指示フレーム生成部３２に指示する。
【００６７】
リンクスピード指示フレーム生成部３２は、トラヒック監視部３１の指示の下、低消費電力状態への移行を要求する制御信号であるリンクスピード指示フレームを生成し、ユーザネットワークＩ／Ｆ部１５を介して、そのリンクスピード指示フレームをルータ／ＨＧＷ６に送信する（ステップＳＴ６４）。
トラヒック監視部３１は、リンクスピード指示フレーム生成部３２からリンクスピード指示フレームが送信された後、ルータ／ＨＧＷ６からＯＫ応答／ＮＧ応答の応答フレームが送信されてくるまで待機する（ステップＳＴ６５）。
【００６８】
ルータ／ＨＧＷ６のルーティング処理部４１は、ＷＡＮ・Ｉ／Ｆ部２１がＯＮＵ４から送信されたリンクスピード指示フレームを受信すると（図１１のステップＳＴ８１）、ＷＡＮ・Ｉ／Ｆ部２１により送受信されるデータの種類が高優先度のトラヒック（例えば、音声信号などのリアルタイム性が要求されるトラヒック）であるか否かを判定する（ステップＳＴ８２）。
ルーティング処理部４１は、音声信号などのリアルタイム性が要求される高優先度のトラヒックがＷＡＮ・Ｉ／Ｆ部２１により送受信されていなければ、ＷＡＮ・Ｉ／Ｆ部２１を介して、低消費電力状態への移行を了解する旨を示すＯＫ応答の応答フレームをＯＮＵ４に送信する（ステップＳＴ８３）。
一方、音声信号などのリアルタイム性が要求される高優先度のトラヒックがＷＡＮ・Ｉ／Ｆ部２１により送受信されている場合、低消費電力状態への移行を了解しない旨を示すＮＧ応答の応答フレームをＯＮＵ４に送信する（ステップＳＴ８６）。
【００６９】
ルーティング処理部４１は、ＯＫ応答の応答フレームをＯＮＵ４に送信すると、ＷＡＮ・Ｉ／Ｆ部２１のリンクスピードを高速から低速に変更するとともに（ステップＳＴ８４）、自身のルーティング処理の処理能力を下げることで（ステップＳＴ８５）、通常動作モードから低消費電力モードに移行する。
例えば、ＷＡＮ・Ｉ／Ｆ部２１の変更前のリンクスピードが１０００Ｍｂｐｓである場合、１００Ｍｂｐｓ又は１０Ｍｂｐｓに変更する。
また、ＷＡＮ・Ｉ／Ｆ部２１の変更前のリンクスピードが１００Ｍｂｐｓである場合、１０Ｍｂｐｓに変更する。
【００７０】
ＯＮＵ４のトラヒック監視部３１は、ユーザネットワークＩ／Ｆ部１５がルータ／ＨＧＷ６から送信された応答フレームを受信し、その応答フレームがＯＫ応答であれば（図９のステップＳＴ６６）、ユーザネットワークＩ／Ｆ部１５のリンクスピードを高速から低速に変更（ＷＡＮ・Ｉ／Ｆ部２１の変更後のリンクスピードと同じリンクスピードに変更）することで（ステップＳＴ６７）、ユーザネットワークＩ／Ｆ部１５を低消費電力状態に設定する。
なお、ルータ／ＨＧＷ６から送信された応答フレームがＮＧ応答であれば（ステップＳＴ６６）、ユーザネットワークＩ／Ｆ部１５のリンクスピードを変更しない。
【００７１】
次に、図１０及び図１２を参照しながら、低消費電力モードから通常動作モードに移行する際の処理内容を説明する。
ＯＮＵ４及びルータ／ＨＧＷ６の電源が投入されており、ＯＬＴ２から送信された下り方向のデータがＯＮＵ４からルータ／ＨＧＷ６の方向に流れ、ＴＡ７から送信された上り方向のデータがルータ／ＨＧＷ６からＯＮＵ４の方向に流れているものとする。
このとき、ＯＮＵ４の下りフレームバッファ１４には、ＯＬＴ２から送信された下り方向のデータが蓄積され、上りフレームバッファ１７には、ＴＡ７から送信された上り方向のデータが蓄積される。
ただし、低消費電力モードでは、ＯＮＵ４におけるユーザネットワークＩ／Ｆ部１５のリンクスピードは低速であり、ルータ／ＨＧＷ６におけるＷＡＮ・Ｉ／Ｆ部２１のリンクスピードは低速である。
また、ルーティング処理部４１におけるルーティング処理の処理能力は下げられている状態である。
【００７２】
ＯＮＵ４のトラヒック監視部３１は、下りフレームバッファ１４における下り方向のデータの蓄積量及び単位時間当りのフレーム処理数からユーザネットワークＩ／Ｆ部１５により送信される下り方向のデータのトラヒック量を把握する（図１０のステップＳＴ７１）。
また、トラヒック監視部３１は、上りフレームバッファ１７における上り方向のデータの蓄積量及び単位時間当りのフレーム処理数からユーザネットワークＩ／Ｆ部１５により受信される上り方向のデータのトラヒック量を把握する（ステップＳＴ７１）。
【００７３】
トラヒック監視部３１は、下り方向及び上り方向のデータのトラヒック量を把握すると、そのトラヒック量と予め設定されている閾値を比較して、そのトラヒック量が閾値以下であるか否かを判定する（ステップＳＴ７２）。
トラヒック監視部３１は、下り方向のデータのトラヒック量が閾値より少ない場合、あるいは、上り方向のデータのトラヒック量が閾値より少ない場合、低消費電力モードから通常動作モードへの移行を行わず、ステップＳＴ７１の処理に戻る。
【００７４】
トラヒック監視部３１は、下り方向のデータのトラヒック量が閾値以上であり、かつ、上り方向のデータのトラヒック量が閾値以上である場合、下りフレームバッファ１４及び上りフレームバッファ１７に蓄積されているデータの種類が高優先度のトラヒックであるか否かを判定する（ステップＳＴ７３）。
即ち、ユーザネットワークＩ／Ｆ部１５によって、例えば、音声信号などのリアルタイム性が要求される高優先度のトラヒックが送受信されているか否かを判定する。
【００７５】
トラヒック監視部３１は、音声信号などのリアルタイム性が要求される高優先度のトラヒックがユーザネットワークＩ／Ｆ部１５により送受信されている場合、低消費電力モードから通常動作モードへの移行を行わず、ステップＳＴ７１の処理に戻る。
トラヒック監視部３１は、音声信号などのリアルタイム性が要求される高優先度のトラヒックがユーザネットワークＩ／Ｆ部１５により送受信されていない場合、低消費電力モードから通常動作モードに移行するため、低消費電力状態の解除を要求する制御信号であるリンクスピード指示フレームの生成をリンクスピード指示フレーム生成部３２に指示する。
【００７６】
リンクスピード指示フレーム生成部３２は、トラヒック監視部３１の指示の下、低消費電力状態の解除を要求する制御信号であるリンクスピード指示フレームを生成し、ユーザネットワークＩ／Ｆ部１５を介して、そのリンクスピード指示フレームをルータ／ＨＧＷ６に送信する（ステップＳＴ７４）。
トラヒック監視部３１は、リンクスピード指示フレーム生成部３２からリンクスピード指示フレームが送信された後、ルータ／ＨＧＷ６からＯＫ応答／ＮＧ応答の応答フレームが送信されてくるまで待機する（ステップＳＴ７５）。
【００７７】
ルータ／ＨＧＷ６のルーティング処理部４１は、ＷＡＮ・Ｉ／Ｆ部２１がＯＮＵ４から送信されたリンクスピード指示フレームを受信すると（図１２のステップＳＴ９１）、ＷＡＮ・Ｉ／Ｆ部２１により送受信されるデータの種類が高優先度のトラヒック（例えば、音声信号などのリアルタイム性が要求されるトラヒック）であるか否かを判定する（ステップＳＴ９２）。
ルーティング処理部４１は、音声信号などのリアルタイム性が要求される高優先度のトラヒックがＷＡＮ・Ｉ／Ｆ部２１により送受信されていなければ、ＷＡＮ・Ｉ／Ｆ部２１を介して、低消費電力状態の解除を了解する旨を示すＯＫ応答の応答フレームをＯＮＵ４に送信する（ステップＳＴ９３）。
一方、音声信号などのリアルタイム性が要求される高優先度のトラヒックがＷＡＮ・Ｉ／Ｆ部２１により送受信されている場合、低消費電力状態の解除を了解しない旨を示すＮＧ応答の応答フレームをＯＮＵ４に送信する（ステップＳＴ９６）。
【００７８】
ルーティング処理部４１は、ＯＫ応答の応答フレームをＯＮＵ４に送信すると、ＷＡＮ・Ｉ／Ｆ部２１のリンクスピードを低速から高速に変更するとともに（ステップＳＴ９４）、自身のルーティング処理の処理能力を上げることで（ステップＳＴ９５）、通常動作モードから低消費電力モードに移行する。
例えば、ＷＡＮ・Ｉ／Ｆ部２１の変更前のリンクスピードが１０Ｍｂｐｓである場合、１０００Ｍｂｐｓ又は１００Ｍｂｐｓに変更する。
また、ＷＡＮ・Ｉ／Ｆ部２１の変更前のリンクスピードが１００Ｍｂｐｓである場合、１０００Ｍｂｐｓに変更する。
【００７９】
ＯＮＵ４のトラヒック監視部３１は、ユーザネットワークＩ／Ｆ部１５がルータ／ＨＧＷ６から送信された応答フレームを受信し、その応答フレームがＯＫ応答であれば（図１０のステップＳＴ７６）、ユーザネットワークＩ／Ｆ部１５のリンクスピードを低速から高速に変更（ＷＡＮ・Ｉ／Ｆ部２１の変更後のリンクスピードと同じリンクスピードに変更）することで（ステップＳＴ７７）、ユーザネットワークＩ／Ｆ部１５の低消費電力状態を解消する。
なお、ルータ／ＨＧＷ６から送信された応答フレームがＮＧ応答であれば（図１０のステップＳＴ７６）、ユーザネットワークＩ／Ｆ部１５のリンクスピードを変更しない。
【００８０】
以上で明らかなように、この実施の形態３によれば、ユーザネットワークＩ／Ｆ部１５が低消費電力状態に設定されていない状況下では、トラヒック量が閾値以下であり、かつ、音声信号などのリアルタイム性が要求されるトラヒックが送受信されていなければ、リンクスピード指示フレーム生成部３２及びユーザネットワークＩ／Ｆ部１５を介して、低消費電力状態への移行を要求する制御信号であるリンクスピード指示フレームをルータ／ＨＧＷ６に送信し、ルータ／ＨＧＷ６から低消費電力状態への移行を了解する旨を示す応答フレームが送信された場合、ユーザネットワークＩ／Ｆ部１５を低消費電力状態に設定し、ユーザネットワークＩ／Ｆ部１５が低消費電力状態に設定されている状況下では、トラヒック量が閾値以上であり、かつ、音声信号などのリアルタイム性が要求されるトラヒックが送受信されていなければ、リンクスピード指示フレーム生成部３２及びユーザネットワークＩ／Ｆ部１５を介して、低消費電力状態の解除を要求する制御信号であるリンクスピード指示フレームをルータ／ＨＧＷ６に送信し、ルータ／ＨＧＷ６から低消費電力状態の解除を了解する旨を示す応答フレームが送信された場合、ユーザネットワークＩ／Ｆ部１５の低消費電力状態を解除するように構成したので、上記実施の形態１，２と同様に、音声信号などのリアルタイム性が要求される高優先度のトラヒックに影響を及ぼすことなく、無駄な電力消費を抑制して、低消費電力化を図ることができる効果を奏する。
【００８１】
また、この実施の形態３によれば、Ａｕｔｏｎｅｇｏｔｉａｔｉｏｎ機能を使用することなく、ユーザネットワークＩ／Ｆ部１５及びＷＡＮ・Ｉ／Ｆ部２１のリンクスピードを変更するようにしているので、上記実施の形態１，２よりも素早く消費電力の状態を切り換えることができる効果を奏する。
【符号の説明】
【００８２】
１  上位ネットワーク、２  ＯＬＴ（局側装置）、３  光ファイバ、４  ＯＮＵ（加入者線終端装置）、５  ＬＡＮケーブル、６  ルータ／ＨＧＷ（ネットワーク接続機器）、７  ＴＡ（下位ネットワーク側装置）、１１  光送受信器、１２  ＰＯＮ制御部、１３  下りフレーム処理部、１４  下りフレームバッファ、１５  ユーザネットワークＩ／Ｆ部（データ送受信手段）、１６  上りフレーム処理部、１７  上りフレームバッファ、１８  トラヒック監視部（トラヒック監視手段、消費電力状態変更手段）、２１  ＷＡＮ・Ｉ／Ｆ部（ＷＡＮ側インタフェース手段）、２２  ルーティング処理部（ルーティング処理手段）、２３  Ｌ２ＳＷ部（下位ネットワーク側インタフェース手段）、２４  ユーザネットワークＩ／Ｆ部（下位ネットワーク側インタフェース手段）、３１  トラヒック監視部（トラヒック監視手段、消費電力状態変更手段）、３２  リンクスピード指示フレーム生成部（トラヒック監視手段、消費電力状態変更手段）、４１  ルーティング処理部（ルーティング処理手段）。
【図１】
2011061428.tif 000003
【図２】
2011061428.tif 000004
【図３】
2011061428.tif 000005
【図４】
2011061428.tif 000006
【図５】
2011061428.tif 000007
【図６】
2011061428.tif 000008
【図７】
2011061428.tif 000009
【図８】
2011061428.tif 000010
【図９】
2011061428.tif 000011
【図１０】
2011061428.tif 000012
【図１１】
2011061428.tif 000013
【図１２】
2011061428.tif 000014